(57)【要約】本発明は、移動可能な家具部品(３)、特にドア又はフラップ用の排出デバイスに関する。排出デバイスは、移動可能な家具部品(３)に連結されて、移動可能な家具部品(３)を開位置に動かす排出要素(６)と、排出要素(６)を駆動するエネルギー蓄積デバイス(２４)を家具部品(３)の閉位置にラッチさせる解除可能なラッチ機構と、家具部品(３)を開方向に動かすことによって排出要素(６)を駆動した後に、エネルギー蓄積デバイス(２４)に張力/圧力を発生させる張力デバイスと、排出要素(６)が家具部品(３)から解除された後に、排出要素(６)を閉位置に動かす排出要素用の引込みデバイスを備えている。ラッチ機構は線形に変位可能な第１のスライド(２０)を備え、張力デバイスは移動可能な第２のスライド(３０)を有し、排出要素(６)は第３のスライド(４０)に接続されて、第２のスライド(３０)及び第３のスライド(４０)は第１のスライド(２０)によって開方向に移動可能である。【選択図】図２
2018514668.tif 000002
【特許請求の範囲】
【請求項１】
移動可能な家具部品(３)、特にドア又はフラップ用の排出デバイスであって、
a) 移動可能な家具部品(３)に連結されて、移動可能な家具部品(３)を開位置に動かす排出要素(６)と、
b) 排出要素(６)を駆動するエネルギー蓄積デバイス(２４)を家具部品(３)の閉位置にラッチさせる解除可能なラッチ機構と、
c) 家具部品(３)を開方向に動かすことによって排出要素(６)を駆動した後に、エネルギー蓄積デバイス(２４)に張力/圧力を発生させる張力デバイスと、
d) 排出要素(６)が家具部品(３)から解除された後に、排出要素(６)を閉位置に動かす排出要素用の引込みデバイスを備えた排出デバイスにおいて、
前記ラッチ機構は線形に変位可能な第１のスライド(２０)を備え、前記張力デバイスは移動可能な第２のスライド(３０)を有し、前記排出要素(６)は第３のスライド(４０)に接続されて、第２のスライド(３０)及び第３のスライド(４０)は第１のスライド(２０)によって開方向に移動可能である、排出デバイス。
【請求項２】
前記第２のスライド(３０)は、第３のスライド(４０)を介して引込みデバイスにより閉方向に動かされる、請求項１に記載の排出デバイス。
【請求項３】
３つのスライド(２０、３０、４０)は、共通のハウジング(９)内にて線形にガイドされる、請求項１又は２に記載の排出デバイス。
【請求項４】
前記ハウジング(９)は、前記スライド(２０、３０、４０)を内部空間上でガイドする溝(９５)を有する、請求項３に記載の排出デバイス。
【請求項５】
前記張力デバイスは、第３のスライド(４０)が開方向に引き出されるときに、第１のスライド(２０)を閉方向に動かすギア(３３、３５、３６)を備える、請求項１乃至４の何れかに記載の排出デバイス。
【請求項６】
前記ギア(３３、３５、３６)は、解除位置にて第２及び第３のスライド(４０、３０)を閉方向に動かすことが出来るクラッチを有する、請求項５に記載の排出デバイス。
【請求項７】
前記第２のスライド(３０)は開位置にてハウジング(９)内のストップに当たり、第３のスライド(４０)が開方向に動くことにより、歯車(３３、３５)が連結する、請求項５又は６に記載の排出デバイス。
【請求項８】
前記ラッチ機構は、キャッチ凹部を備えたループ形のセクション(１２)を有するガイド軌道(１１)を備え、該キャッチ凹部に制御ピン(１７)が係合し、前記第１のスライド(２０)はラッチ機構を介してハウジング(９)上にラッチされる、請求項１乃至７の何れかに記載の排出デバイス。
【請求項９】
前記引込みデバイスは、ダンパ(４８)を有する、請求項２に記載の排出デバイス。
【請求項１０】
ハウジング(９)内にて、少なくとも１つの歯付きラック(９７)が設けられ、回転ダンパ(４８)を駆動する少なくとも１つの歯車(４６、４７)と係合する、請求項９に記載の排出デバイス。
【請求項１１】
第３のスライド(４０)上にて、歯付きラック(４８)が設けられ、排出要素(６)が開位置から出て開方向に動くときに、歯車(３５)を駆動してエネルギー蓄積デバイス(２４)に張力/圧力を発生させる、請求項１乃至１０の何れかに記載の排出デバイス。
【請求項１２】
前記エネルギー蓄積デバイス(２４)は、少なくとも１つの線形にガイドされる圧縮バネを備える、請求項１乃至１１の何れかに記載の排出デバイス。
【請求項１３】
排出要素(６)用の前記引込みデバイスは、エネルギ蓄積デバイス(５０)を備え、該エネルギ蓄積デバイス(５０)の力は、排出デバイスのエネルギ蓄積デバイス(２４)の力よりも小さい、請求項２に記載の排出デバイス。
【請求項１４】
前記排出要素(６)は、磁力によってドライバ(８)をドア(３)又はフラップに連結するマグネット(７)を備える、請求項１乃至１３の何れかに記載の排出デバイス。
【請求項１５】
ヒンジ上に取り付けられ、請求項１乃至１４の何れかに記載の排出デバイスによって動かされる少なくとも１つのドア又はフラップを有する家具部品。
【発明の詳細な説明】
【技術分野】
【０００１】
本発明は、移動可能な家具部品、特にドア又はフラップ用の排出デバイスに関し、移動可能な家具部品に連結され得て移動可能な家具部品を開位置に動かす排出要素と、それによって排出要素を駆動するエネルギー蓄積デバイスが家具部品の閉位置にラッチ可能となる解除可能なラッチ機構と、家具部品を開方向に動かすことによって排出要素を駆動した後にエネルギー蓄積デバイスに張力/圧力を発生させる張力デバイスと、排出要素を家具部品から離した後に、それによって排出要素が閉方向に動くことが出来る排出要素用の引込みデバイスを備えている。
【背景技術】
【０００２】
ドイツ公開公報102011052355Ａ１号は、家具の構成要素のキャビネットドアを開くデバイスを開示している。キャビネットドアを押すことにより、ラッチ機構はロックが外され、キャビネットドアを中間位置に動かす。この中間位置からキャビネットドアは手動で引き出され、キャビネットドアに連結した張力ロッドによって圧力バネの力に抗してエジェクタピストンが引き出される。キャビネットドアが張力ロッドから解放された後に、キャビネット本体内に戻される。しかし、張力ロッドの動きをエジェクタピストンに伝えるために制御ユニットは如何なるかが示されていない。更に、個々のユニットがコンパクトな方法で如何に組み込まれるかが示されていない。
【０００３】
従って、本発明の目的は、高い排出力を提供しコンパクトな構成を有する移動可能な家具部品用の排出デバイスを提供することにある。
この目的は、請求項１の特徴を有する排出デバイスによって達成される。有利な実施形態は従属請求項から付与される。
【発明の概要】
【０００４】
本発明に従った排出デバイスは、解除可能なラッチ機構を備え、該ラッチ機構によって排出要素を駆動するエネルギー蓄積デバイスが家具部品の閉位置にラッチされ、該ラッチ機構は線形に変位可能な第１のスライドと、エネルギー蓄積デバイスに張力/圧力を発生させる張力デバイスと可動な第２のスライドを備えている。排出要素は第３のスライドに接続され、第２のスライドと第３のスライドは、第１のスライドを介して開方向に移動可能である。その結果、スライドによって線形に逆向きの動きが実行されて、エネルギー蓄積デバイスに張力/圧力を発生させ又は排出要素を動かす。スライドによる線形のガイドにより、高い排出力の付与と動作順序に関する高い正確さが可能となる。更に、スライドは共通のハウジング内にコンパクトな構成で受け入れられる。
【０００５】
好ましくは、第２のスライドは第３のスライドを介して引込みデバイスによって閉方向に移動可能である。その結果、第１のスライドは第２のスライドを開方向に動かし、第３のスライドは第２のスライドを閉方向に動かすことが出来、第２のスライドは好ましくは第１のスライドと第３のスライドの間に配置される。
【０００６】
好ましい実施形態において、３つのスライドは共通のハウジング内で線形にガイドされる。そのような線形のガイドについて、ハウジング上のスライドをガイドする内部空間に対向する側部上にて溝が形成され、正確なガイドが確実となる。ハウジングは例えば金属、特に押し出されたアルミニウムの形状で作ることができる。プラスチックのような他の材料もまた可能である。
【０００７】
張力デバイスは、第３のスライドが開方向に引かれたときに、第１のスライドを閉方向に動かす歯車を有するのが好ましい。第３のスライド及び第１のスライドはこのように反対方向に動き、一方、第２のスライドは端部位置にて静止を維持する。この場合、歯車は、解除位置にて第２及び第３のスライドを閉方向に動かすことが出来るようにクラッチを有する。歯車と噛み合う為に、歯車ホィールが回転軸に直交して移動可能に保持され、とくに開方向への排出動作の後に、第３のスライドを動かすことにより、歯車の歯車ホィールは連結される。
【０００８】
更なる実施形態において、ラッチ機構が付与され、該ラッチ機構上にループ形のセクションとキャッチ凹部を備えたガイド軌道が配置され、該ガイド軌道内に制御ピンが係合してガイド軌道上にラッチ(止め)される。ラッチ機構はエネルギー蓄積デバイスの力に抗して初期位置にラッチされるように第１のスライドに接続される。
【０００９】
好ましくは、引込みデバイスは、低速及び低い停止ノイズで第２及び第３のスライドの戻り動作が生じるように、ダンパを有する。ダンパは、この場合、回転ダンパとして構成され、歯付きラックを介して駆動され、例えばハウジングに固定されて、回転ダンパを駆動する為に歯付きホィールに係合する。第３のスライドは閉方向に最長の移行路を有するから、回転ダンパはこの場合、第３のスライド上を動くのが好ましい。
【００１０】
エネルギー蓄積デバイスは好ましくは、少なくとも１つの線形にガイドされるバネ、特に圧縮バネであるのが好ましい。要求される力により、エネルギー蓄積デバイス用に幾つかのバネがまた使用され得る。エネルギー蓄積デバイスのバネ力はこの場合、引込みデバイスのバネの力よりも大きい、何故なら引込みデバイスのバネは開位置から閉位置内へ第２及び第３のスライドを動かしさえすればよいからである。
【００１１】
マグネットが排出要素上に付与されて、該マグネットは磁力により、ドア又はフラップ上のドライバに連結される。排出要素を機構によってドア又はフラップに接続して、排出要素を張力によって開方向に動かし、エネルギー蓄積デバイスの張力/圧力を発生させることも可能である。
【００１２】
本発明に従った排出デバイスは、少なくとも１つのドアが１以上のヒンジを介して回転可能に取り付けられた家具部品に用いられるのが好ましい。しかし、前記デバイスを家庭用品、フラップ又は他の移動可能な家具部品に用いることも可能である。
【図面の簡単な説明】
【００１３】
本発明は添付の図面に示された例示的な実施形態を参照して以下に詳細に記載される。
【図１】図１は、本発明に従った排出デバイスを備えた家具部品の概略図である。
【図２】図２は、ハウジングを一部除去した図１の排出デバイスの斜視図である。
【図３】図３は、図１の排出デバイスの分解斜視図である。
【図４Ａ】図３の排出デバイスの図である。
【図４Ｂ】図３の排出デバイスの図である。
【図５Ａ】中間位置にある図３の排出デバイスの図である。
【図５Ｂ】中間位置にある図３の排出デバイスの図である。
【図６Ａ】排出要素が十分に延びた端部位置に於ける図３の排出装置の図である。
【図６Ｂ】排出要素が十分に延びた端部位置に於ける図３の排出装置の図である。
【図６Ｃ】排出要素が十分に延びた端部位置に於ける図３の排出装置の図である。
【発明を実施するための形態】
【００１４】
家具部品１は家具本体２を備え、該家具本体２にドア３が１以上のヒンジ４を介して回転可能に取り付けられる。ヒンジ４の反対側では、ドア３は排出デバイス５により僅かに開いた開位置に押し出され、例えば閉位置から３０ｍｍと５０ｍｍの間で開位置に押し出される。ドア３を押し出すために、排出デバイス５はロッド形状の排出要素６を備え、該排出要素はドライバ８を備えたマグネット７によりドア３に連結される。その結果、ドア３が中間位置から開かれると、引き力が排出要素６に伝わって、排出デバイス５のハウジング９内にて張力デバイスをエネルギー蓄積デバイスの力に抗して引っ張る。エネルギ蓄積デバイスが引っ張られ、引張り位置にてラッチ機構によって固定されるとすぐに、排出要素６とドア３の間の結合を解除して、ドア３を排出デバイス５とは独立に回動させることができる。同時に、排出要素６は引込みデバイスによってハウジング９内に戻され、排出デバイス５が閉工程を邪魔することなく、ヒンジ４のバネを閉動作に引き込むことによってドア３は再び自動的に閉じる。ドア３を開くべく、ドア３を閉方向に僅かに押圧して、排出要素６を押圧し、それによってラッチ機構を解除し、排出要素６は再びドア３を僅かに開いた開位置にドア３を押し出す(eject)。
【００１５】
図２は、ハウジング９を備えた排出デバイス５を示す。ハウジング９は、上側ハウジングシェル９０と底部９１とを備え、これは例えば押出成形された中空形状のような１つの部品から製造することができ、または複数の部品からなる。ハウジングシェル９０及び底部９１の両端部は、カバーキャップ９２及び９３によって閉鎖され、排出要素６は、カバーキャップ９３を介して開口部９８を通る。ハウジング９内にて、第１のスライド２０は、線形に移動可能に取り付けられ、２つの圧縮バネの形態であるエネルギー蓄積デバイス２４を介して予め張力が付与され、圧縮バネは第１のスライド２０から離れた側にてカバーキャップ９２に支持される。第１のスライド２０に隣接して、第２のスライド３０が、第１のスライド２０と平行に変位可能に取り付けられ、該第２のスライド３０は第１のスライド２０と第３のスライド４０との間に配置されている。この場合、第３のスライド４０は、引込みデバイスのエネルギー蓄積デバイス５０によって閉方向に予め引っ張られ、エネルギー蓄積デバイス５０は圧縮バネとして設計され、第３のスライド４０から離れて対向する側にてカバーキャップ９３に支持されている。
【００１６】
図３は、排出デバイス５を分解して示す。
ハウジング９は中空形状として構成され、両側に溝９５を有し、該溝はスライド２０、３０、４０をガイドする働きをする。この目的から、第１の溝９５に係合するウエブ２１がスライド２０の両側に形成され、同様に第２のスライド３０に突出したウエブ３１が形成され、第３のスライド４０にウエブ４１が形成され、各ウエブはハウジング９上の第２及び第３の溝９５に係合する。スライド２０、３０、４０は、互いに線形に隣接した溝９５にガイドされる。
【００１７】
カバーキャップ９２、９３を固定すべく、ネジ通路９９がハウジング９上に付与されて、カバーキャップ９２、９３を介してスライド２０、３０、４０の移動方向に大きな力が吸収される。ハウジング９は横方向に突出したウエブ上に開口９４を含み、これによりハウジング９を固定手段を介して家具本体の側壁に固定することができる。ハウジング９とは別に、排出可能な排出要素６のみが取付け位置で視認可能である。カバーキャップ９２、９３にて、開口１０１がまた固定手段の通過の為に付与される。
【００１８】
ハウジングシェル９０に溝１００が形成され、該溝内に歯付きラック９７の足部９６が挿入される。歯付きラック９７はハウジング９に固定され、シャフト５６上に回転可能に取り付けられた歯車４６と係合し、シャフト５６は第３のスライド４０の長穴５７に変位可能に配置されている。歯車４６は、少なくとも第３のスライド４０の閉動作中に回転ダンパ４８を駆動する歯車４７と係合している、開方向において、歯車４７は歯車４６から切り離されて、回転ダンパ４８が開方向には無効となる。或いは回転ダンパは、歯車を介して歯付きラック９７に直接永久的に結合することもでき、回転ダンパは閉方向にのみ減衰する。減衰された引込みデバイスの別の代替例は、閉方向のスライド４０の動きを減衰させるリニアダンパを有するシステムであってもよい。
【００１９】
第３のスライド４０は、ピン５１が係合する管状の受け入れ部を有する。バネ５０はピン５１の回りに配置され、バネはスライド４０を閉位置に予め引っ張る。ピン５１及び管状の受け入れ部は、圧縮バネ５０が座屈するのを防止する働きをする。或いは、引込みデバイス用のエネルギー蓄積デバイスは、引張りバネ、ローラバネとして構成され得て、引張りバネは、例えば、ハウジングの他の側に接続することができる。
【００２０】
２つのピン１９がまた、ハウジング９の反対側のカバーキャップ９２に固定されており、各ピンの周りに第１のスライド２０を開方向に予め張力をかけるために、夫々１つのバネがエネルギー蓄積デバイス２４として配置されている。第１のスライド２０上にて、エネルギー蓄積デバイスは第３のスライド４０と同様にスリーブ２２に案内される。この場合も、バネ２４は圧縮バネとして具体化され、排出デバイス用のエネルギー蓄積ユニット２４は、引張りバネ、ローラバネなどとして設計することもでき、引張りバネは、例えばハウジングの他の側に取り付けることができる。第１のスライド２０には旋回可能なレバー１６も設けられ、該レバーはピン１７を有する制御要素１５を有する。制御要素１５のピン１７は、板１０のガイド軌道(track)１１に係合し、板１０はハウジング９の底部９１に固定される。溝形のガイド軌道１１はキャッチ凹部１３を有するループ形部分１２を有し、キャッチ凹部１３にエネルギー蓄積デバイス２４の力に抗して制御要素１５がピン１７でラッチされることができる。そのようなガイド軌道１１は、「ハートカーブ」として知られている。排出要素６がドア３によって押されると、第３のスライド４０は第２のスライド３０に抗して動き、第２のスライド３０は第１のスライド２０に抗して動き、第１のスライド２０は僅かに閉方向に動き、ラッチ機構はガイド軌道１１上でロックが解除される。このようにして、エネルギー蓄積デバイス２４は第１のスライド２０で作動し、排出方向に動かされる。ウエブ形状のドライバ２３が第１のスライド２０上に付与され、ドライバは第２のスライド３０の端縁に抗して置かれる。更に、ウエブ形状のドライバ３２が第２のスライド３０上に付与され、第３のスライド４０の端縁に抗して置かれ、第３のスライド４０を開方向に動かす。第３のスライド４０は排出要素６に接続され、このようにエネルギー蓄積デバイス２４によって開方向に動かされる。
【００２１】
図４Ａ及び図４Ｂにおいて、排出デバイスは２つの斜視図で示される。第１のスライド２０には、ピン１４を支持するための開口１８が設けられ、該ピン１４上にレバー１６が回転可能に取り付けられている。レバー１６はガイド軌道１１内に係合するピン１７で制御要素１５を保持する。第１のスライド２０はこのように、ラッチ機構を用いてハウジング９に固定される。或いは、制御要素を備えたレバー１６はまた、ハウジング上で第１のスライドのガイド軌道１１に配置される。更に、ここで記載されたラッチ機構は、従来技術から公知の如く、同じ機能を有する他のラッチ機構に交換され得る。
【００２２】
ストップ要素５５がカバーキャップ９３に置かれるまで、第２のスライド３０は第１のスライド２０によって開方向に動かされる。次に、第２のスライド３０は端部位置に達し、第３のスライド４０と排出要素６を僅かに開いた開位置に保持する。
【００２３】
排出デバイスの開位置はまた、図５Ａ及び図５Ｂに示される。開位置から、ドア３を開方向に引っ張ることができ、その結果、ドア３との連結により、排出要素６も開方向に移動する。これにより、第３のスライド４０は、バネ５０の力に抗して開方向に移動する。さらに、第３のスライド４０上に歯付きラック５８が形成され、該歯付きラック５８は第２のスライド３０に回転可能に取り付けられた歯車３５と係合し、歯車３５は長い穴上を第２のスライド３０の移動方向に移動可能に保持される。その結果、歯車３５は、隣接する歯車３３と係合し、分離することができる。排出要素６が引かれると、歯付きラック５８は、歯車３５を開方向に移動させ、これを歯車３３に連結する。歯車３３は、シャフト３４を介して第２のスライド３０の下側の歯車３６に回転可能に固定されて接続されている。歯車３６は、第１のスライド２０に形成された歯付きラック２５に係合する。このように、排出要素６を開方向に引くときに、歯車３６を回転させることにより、第１のスライド２０がエネルギー蓄積デバイス２４の力に抗して閉方向に移動する。ドア３の開き動作がスムーズに生じ、それにも拘わらず、エネルギー蓄積デバイス２４の張力/圧力発生が可能なように、歯車３３３、３５、３６による力伝達が可能となる。
【００２４】
排出要素６は、ピン１７を有する制御要素１５がキャッチ凹部１３に隣接するガイド軌道１１上に配置されるまで引っ張られる。第３のスライド４０は、区分(dividing)カム４２でカバーキャップ９３に当接し、区分カム４２のネジ付きスリーブ４３にピン４４で固定された排出要素６は、図６Ａ、図６Ｂ及び図６Ｃに示すように、それ以上開方向に移動することができない。その結果、ドア３と排出要素６との間の解除可能な連結、特に磁力による連結が解除される。勿論、排出要素６をドア３に解除可能に接続する機構を付与することも可能である。これは、例えば、インターロック接続又は解除可能な機構によって提供することができる。
【００２５】
排出要素６からドア３を解除した後に、排出要素６は閉方向に動かされる、何故なら引込みデバイスのバネ５０が第３のスライド４０を閉方向に動かすからである。後方移動の結果、歯車３５は最初に歯車３３から解除され、後方移動中に第１のスライド２０に力が伝達されない。更に、歯車４６は、歯付きラック９７に沿った後方移動により回転し、歯車４７を介して回転ダンパ４８を駆動し、排出要素６の後方移動が制限速度でのみ生じることを確実にする。
【００２６】
戻り動作中、第３のスライド４０は、第３のスライド４０の端面がウェブ状のドライバ３２に当接するまで、第２のスライド２０の内側に移動する。この位置において、第２のスライド３０も、第２のスライド３０がその端面を第１のスライド２０のドライバ２３に当接させるまで、閉方向に移動する。閉位置にて、排出要素６がハウジング９内に大きく挿入されるので、自己引込み式の減衰ヒンジ４を使用してもドア３を自動的に閉位置に移動させることができる。閉位置にて、ドア３は排出要素６に当接し、手動で閉方向に前進させることによって、排出要素６を僅かに押し込むことができ、制御要素１５をエネルギー蓄積デバイス２４の力に抗して移動させることにより、ロック解除が行われ、新たな排出が行われる。
【００２７】
示された代表的な実施形態にて、連結は歯付きラック及び歯車によって行われ、歯付きラック及び歯車の位置を明らかに交換することができる、例えば 対応する歯車を提供するために歯付きラックの代わりに第３のスライド上に歯車を設けることができる。同様に、図示の歯車の代わりに第２のスライド３０に歯付きラックを設けることができ、及び歯付きラックの代わりに第１のスライドに歯車を設けることもできる。更に、３つのスライド２０、３０及び４０の間の力伝達のための他の手段を使用することもできる。
【００２８】
示された代表的な実施形態にて、マグネット７は排出要素６に固定的に接続される。そのような接続は、例えば引き出しのような線形に移動可能な家具部品の場合に適切である。ドア又はフラップとして構成される線形に移動可能な家具部品の場合、マグネットを移動可能に取り付けることが有利であり、その結果、排出要素６の直線的な伸長動作に対するドアの角度位置を補償することができる。他の実施形態にて、ドアとマグネットとの間の角度位置を補償するために、ドライバをドア上に移動可能に形成することができる。排出要素６とドア３の間にインターロック接続又は解除可能な接続が付与されれば、これらは移動可能に取り付けられて、互いの角度位置を補償する。
【００２９】
示された代表的な実施形態にて、マグネット７とドアのドライバとの間には、ドアが閉じ、ドライバがマグネット７に達したときに、クリックノイズを減少させるデバイスが付与されていない。このクリックノイズは、閉位置への殆ど静かな到達が望ましいときに、音響信号又は妨害信号として有利であり得る。妨害信号の場合、マグネット７とドライバの間には、理想的には磁性である弾性材料が配備される。或いは、線形ダンパとして構成されるダンパが短いストロークに使用され、排出要素６又はハウジング９上のドライバ上又はドライバ内の何れかに配置され得る。ダンパは、ドア３が閉じられるとき、マグネット７上へのドライバの締め付けを減速し、殆どクリックノイズが生じないように構成される。ダンパがドライバ又は排出要素６上に配置される場合、ダンパは、ドア３が閉じられたときに排出デバイスのラッチ機構を作動させないように構成されなければならない。
【００３０】
示された代表的な実施形態において、ハウジング９は固定手段の助けを用いて家具本体２に固定される。しかし、取付デバイスが家具本体２に固定され、その上に排出デバイスのハウジング９が押されて固定されるようにしてもよい。有利なことに、取付デバイス又はハウジング９は、ハウジング９の位置を調整することができるように深さ調整されている。このような深さ調整は、一種のネジ調整又は偏心調整として設計することができる。
ここで示された例示的な実施形態におけるハウジング９の構造は、例示のみである。ハウジング９は例えば、２つのシェル構造のような異なる形を有する。ハウジングは内部の機械的なシステムを保護する機能を実行すべきである。
【００３１】
１      家具部品
２      家具本体
３      ドア
４      ヒンジ
５      排出デバイス
６      排出要素
７      マグネット
８      ドライバ
９      ハウジング
１０    板
１１    ガイド軌道
１２    セクション
１３    キャッチ凹部
１４    ピン
１５    制御要素
１６    レバー
１７    ピン
１８    開口
１９    ピン
２０    第１のスライド
２１    ウエブ
２２    スリーブ
２３    ドライバ
２４    エネルギ蓄積デバイス
３０    第２のスライド
３１    ウエブ
３２    ドライバ
３３    歯車
３４    シャフト
３５    歯車
３６    歯車
４０    第３のスライド
４１    ウエブ
４２    区分カム
４３    ネジ付きスリーブ
４４    ピン
４６    歯車
４７    歯車
４８    回転ダンパ
５０    バネ
５１    ピン
５５    ストップ要素
５６    シャフト
５７    長穴
５８    歯付きラック
９０    ハウジングシェル
９１    底部
９２    カバーキャップ
９３    カバーキャップ
９４    開口
９６    足部
９７    歯付きラック
９８    開口
９９    ネジ通路
１００  溝
１０１  開口
【図１】
2018514668.tif 000003
【図２】
2018514668.tif 000004
【図３】
2018514668.tif 000005
【図４Ａ】
2018514668.tif 000006
【図４Ｂ】
2018514668.tif 000007
【図５Ａ】
2018514668.tif 000008
【図５Ｂ】
2018514668.tif 000009
【図６Ａ】
2018514668.tif 000010
【図６Ｂ】
2018514668.tif 000011
【図６Ｃ】
2018514668.tif 000012
【国際調査報告】
2018514668.tif 000013
2018514668.tif 000014
2018514668.tif 000015
2018514668.tif 000016